(57)【特許請求の範囲】
【請求項１】
就寝場所の近傍に配置される照明装置を含む複数の照明装置を備えた照明システムであって、
前記照明装置は、照明光を照射する光源と、前記光源の点灯を制御する制御部と、前記光源を点灯させる点灯信号を含む制御信号を送受信する送受信部と、を有し、
前記制御信号は、前記照明装置の属性情報として、少なくとも前記照明装置の前記就寝場所からの距離情報を含み、
少なくとも一の前記照明装置の制御部は、予め設定された起床設定時刻よりも前に、前記光源を点灯させ、且つ前記送受信部に前記制御信号を他の前記照明装置へ送信させ、
前記複数の照明装置は、前記起床設定時刻よりも前に、互いに前記制御信号を送受信し、前記属性情報に基づいて互いの点灯開始時刻を設定することを特徴とする照明システム。
【請求項２】
前記属性情報は、前記照明装置の点灯出力情報を含むことを特徴とする請求項１に記載の照明システム。
【請求項３】
前記属性情報は、前記照明装置の配光情報を含むことを特徴とする請求項１又は請求項２に記載の照明システム。
【請求項４】
前記照明装置は、ユーザの睡眠状態を検知するセンサを有し、
前記制御信号は、前記センサによる検知情報を含み、
前記複数の照明装置は、前記検知情報に基づいて互いの点灯開始時刻を設定することを特徴とする請求項１乃至請求項３のいずれか一項に記載の照明システム。
【請求項５】
前記照明装置は、前記起床設定時刻を設定するための入力部を有し、
前記入力部は、前記起床設定時刻を２つ以上を入力することができることを特徴とする請求項１乃至請求項４のいずれか一項に記載の照明システム。
【請求項６】
請求項１乃至請求項５のいずれか一項に記載の照明システムに用いられる照明装置。
【発明の詳細な説明】
【技術分野】
【０００１】
本発明は、起床時に適した照明環境を実現する照明システム及びそれに用いられる照明装置に関する。
【背景技術】
【０００２】
従来から、予め設定された起床時刻の所定時間前から光源の明るさが漸増的に増加し、起床時刻には就寝者に快適な目覚めをもたらす目覚まし照明装置が知られている（例えば、特許文献１参照）。この照明装置によれば、光の刺激を就寝者に与えることにより、就寝者を効果的に目覚めさせることができる。
【先行技術文献】
【特許文献】
【０００３】
【特許文献１】特開平４−２６４２８９号公報
【発明の概要】
【発明が解決しようとする課題】
【０００４】
しかしながら、例えば、上記照明装置が、就寝位置から離れた場所に設置されていると、就寝者は、照明光による明るさの変化を感じ難く、就寝者を効果的に目覚めさせることができないことがある。一方で、就寝位置の近傍に設置された照明装置のみを点灯させた場合には、就寝者は、明るさの変化を強く受け過ぎてしまい、心地良い目覚め感を得ることができない虞がある。
【０００５】
本発明は、上記課題を解決するものであり、起床時に適した照明環境を提供し、就寝者を快適に目覚めさせることができる照明システム及びそれに用いられる照明装置を提供することを目的とする。
【課題を解決するための手段】
【０００６】
上記課題を解決するため、本発明は、就寝場所の近傍に配置される照明装置を含む複数の照明装置を備えた照明システムであって、前記照明装置は、照明光を照射する光源と、前記光源の点灯を制御する制御部と、前記光源を点灯させる点灯信号を含む制御信号を送受信する送受信部と、を有し、前記制御信号は、前記照明装置の属性情報として、少なくとも前記照明装置の前記就寝場所からの距離情報を含み、少なくとも一の前記照明装置の制御部は、予め設定された起床設定時刻よりも前に、前記光源を点灯させ、且つ前記送受信部に前記制御信号を他の前記照明装置へ送信させ、前記複数の照明装置は、前記起床設定時刻よりも前に、互いに前記制御信号を送受信し、前記属性情報に基づいて互いの点灯開始時刻を設定することを特徴とする。
【発明の効果】
【０００７】
本発明によれば、一の照明装置は、予め設定された起床設定時刻よりも前に点灯を開始すると共に制御信号を他の照明装置へ送信するので、他の照明装置を連動させることができ、起床時に適した照明環境を提供し、就寝者を快適に目覚めさせることができる。
【図面の簡単な説明】
【０００８】
【図１】本発明の一実施形態に係る照明システムを適用した屋内を示す図。
【図２】（ａ）（ｂ）は同照明システムに用いられる照明装置の例を示す斜視図。
【図３】上記照明システムのブロック構成図。
【図４】（ａ）は上記照明システムの一動作例を示す屋内図、（ｂ）はタイムチャート。
【図５】（ａ）（ｃ）は上記照明システムの一動作例を示す屋内図、（ｂ）（ｄ）はタイムチャート。
【図６】（ａ）乃至（ｅ）は上記照明システムの一動作例を示す屋内図。
【図７】（ａ）（ｃ）（ｅ）は上記照明システムの一動作例を示す屋内図、（ｂ）（ｄ）（ｆ）はタイムチャート。
【図８】（ａ）（ｃ）（ｅ）は上記照明システムの一動作例を示す屋内図、（ｂ）（ｄ）（ｆ）はタイムチャート。
【図９】（ａ）は上記照明システムの動作例を示す屋内図、（ｂ）はタイムチャート。
【図１０】（ａ）は上記照明システムの動作例を示す屋内図、（ｂ）はタイムチャート。
【図１１】（ａ）（ｃ）（ｅ）（ｇ）は上記照明システムの一動作例を示す屋内図、（ｂ）（ｄ）（ｆ）（ｈ）はタイムチャート。
【発明を実施するための形態】
【０００９】
本発明の一実施形態に係る照明システム及びそれに用いられる照明装置について、図１乃至図１１を参照して説明する。図１に示すように、本実施形態の照明システム１０は、複数の照明装置１（１ａ、１ｂ、１ｃ）と、それらの点灯を制御する端末１１と、を備える。照明装置１は、図示したようにベッドＢ（就寝場所）のある寝室に用いられ、寝室の壁面Ｗａ、天井面Ｃｅ、床面Ｆｌに照明光を照射し、屋内空間の明るさを制御する。照明装置１は、ユーザが端末１１を操作することで、その点灯を制御することができる。なお、端末１１には、壁面に取り付けられるコントローラＣや、照明装置１の専用のリモートコントローラＲ、スマートフォンやタブレット端末などの情報通信端末Ｓ等が用いられる。
【００１０】
照明装置１には、図示したように、天井面Ｃｅに取り付けられるシーリングライト１ａ、ベッドＢの近傍に配置されるスタンドライト１ｂ、及び壁面Ｗａに取り付けられるブラケット１ｃ等が挙げられる。また、照明装置１には、図２（ａ）に示すような線状光源を有するベースライト１ｄ、１ｅ、図２（ｂ）に示すような天井埋込式のダウンライト１ｆ〜１i、又はその他の各種の照明器具が含まれてもよい。
【００１１】
図３に示すように、照明装置１は、照明光を照射する光源２と、光源２の点灯を制御する制御部３と、端末１１及び他の照明装置１との間で制御信号等を送受信するための送受信部４と、を有する。
【００１２】
光源２は、ＬＥＤチップの出射光の波長を変換する波長変換部材が被覆されたＬＥＤパッケージが好適に用いられる。ＬＥＤチップには、例えば、光源２が照射する光の色温度は、昼光色〜電球色（色温度７１００Ｋ〜２６００Ｋ）であることが望ましい。なお、光源２は、照射される光の色温度を適宜に可変とすることができるものが、より好適に用いられる。なお、ＬＥＤの他にも、光源２には、有機ＥＬ、蛍光灯、電球等が用いられてもよい。
【００１３】
制御部３は、端末１１から受信した無線信号に基づいて各光源２の点灯又は消灯を行う。ここで言う、無線通信は、赤外線、電波、可視光を含む。また、制御部３、例えば、ＰＷＭ（Ｐｕｌｓｅ  Ｗｉｄｔｈ  Ｍｏｄｕｌａｔｉｏｎ）制御や、アナログ調光制御により、各光源２の調光制御を行う。制御部３は、主として汎用のマイコン３１によって実現される。なお、調光比とは、各光源２の最大輝度に対する輝度の割合を意味し、例えば、制御部３がＰＷＭ制御により光源２の調光制御を行う場合の調光比は、ＰＷＭ信号のデューティ比により定められる。また、制御部３は、時刻を計時するタイマ３２、及びタイマ３２で計時された時間に対する光源２の調光比等のデータ及び各照明装置１の属性情報等を記憶するメモリ３３と、を有する。
【００１４】
送受信部４は、光源２を点灯させる点灯信号を含む制御信号を送受信する。送受信部１４は、例えば、赤外線通信や、ＷＰＡＮ（Ｗｉｒｅｌｅｓｓ  Ｐｅｒｓｏｎａｌ  Ａｒｅａ  Ｎｅｔｗｏｒｋ）の標準規格の一つであるＺｉｇＢｅｅ（登録商標）やその他の通信方式を用いて通信を行う。送受信部４には、光源２の点灯周波数を変調することにより照明光に通信信号を重畳する照明光通信を用いてもよく、この場合、照明装置１には、照明光を受信する受光部（不図示）が設けられる。
【００１５】
また、照明装置１には、例えば、図１に示したスタンドライト１ｂのように、その近傍に居る人の動作を検知するセンサ５が設けられている照明装置１が含まれ得る。センサ５は、照明装置１の送受信部４を介してその検知情報を送受信できれば、照明装置１とは別体の構成であってもよい。センサ５は、例えば、モーションセンサにより構成され、就寝者の寝返り等の就寝中の体動を検知し、ユーザの眠りの深さを検知する。また、ユーザの動きから、ユーザの入眠時刻を検知することもできる。なお、センサ５は、例えば、画像センサであってもよく、ユーザの顔の向きに応じて、ユーザの睡眠状態を検出できる任意のセンサが用いられる。
【００１６】
端末１１は、就寝及び起床時における照明装置１の調光モードを設定するための入力部１２と、入力内容を表示する表示部１３と、照明装置１と通信するための送受信部１４（端末送受信部）と、を備える。入力部１２は、入力インターフェースであり、例えば、押しボタン式のスイッチや、タッチパネル等から構成される。なお、例えば、スタンドライト１ｂのようにユーザが操作し易い場所に設置される照明装置１には、入力部１２と同様の機能を持つ入力インターフェースが設けられていてもよい。送受信部１４は、照明装置１の送受信部４と同様に、赤外線通信等の各種通信方式を用いて通信を行う。また、端末１１は、上記各構成を制御するマイコン１５ａ、タイマ１５ｂ及びメモリ１５ｃを内蔵した制御部１５を有する。端末１１として情報通信端末が用いられる場合、端末１１は、インターネットＩＴを介して外部サーバ等の外部端末１６に接続され得る。
【００１７】
本実施形態の照明システム１０では、ユーザが端末１１の入力部１２を操作することにより、予めユーザの起床設定時刻を設定することができる。そして、図４（ａ）（ｂ）に示すように、少なくとも一の照明装置１（図例ではシーリングライト１ａ）は、予め設定された起床設定時刻Ｔよりも前の点灯開始時刻に、光源２を点灯させる（照明光の照射を図中の破線で示す。後述の図面も同様）。そして、シーリングライト１ａは、所定の制御信号を他の照明装置１（図例では、スタンドライト１ｂ）へ送信する（無線信号の出力を図中の波型矢印線で示す）。これらの動作は、シーリングライト１ａの制御部３がその送受信部４を駆動することにより行われる。シーリングライト１ａの制御部３は、シーリングライト１ａの近傍に照明装置１が存否を問わずに、送受信部４に制御信号を送信させることができる。そして、制御信号を受信可能な範囲に、例えば、スタンドライト１ｂが存在するとき、このスタンドライト１ｂは、受信した制御信号に従って所定の動作を行う。なお、制御信号を受信する照明装置１が無い場合には、シーリングライト１ａが、ユーザの受光量が予め設定された値に達するように光源２を点灯させる。そして、起床設定時刻Ｔになると、シーリングライト１ａは消灯する。
【００１８】
照明装置１間で送受信される制御信号には、受信側の照明装置１を点灯させる点灯制御信号と、種々の属性信号と、が含まれる。点灯制御信号には、送信側及び受信側の夫々の識別情報、点灯開始時刻Ｔ、及び照射パターン（調光比、調光比の時間的変化）等が含まれる。例えば、図５（ａ）（ｂ）に示すように、シーリングライト１ａは、予め設定された起床設定時刻Ｔよりも前の点灯開始時刻Ｔａに点灯を開始する。このとき、シーリングライト１ａの制御部３は、起床設定時刻Ｔに向けて緩やかにユーザの受光量が指数関数的に漸増するように光源２を点灯制御する。その後、シーリングライト１ａは、起床設定時刻Ｔよりも前に、所定の制御信号を送信する。この制御信号には、起床設定時刻Ｔの直前の点灯開始時刻Ｔｂにシーリングライト１ａ以外の照明装置１に点灯を開始させる点灯制御信号が含まれている。
【００１９】
図５（ｃ）（ｄ）に示すように、上記制御信号を受信したスタンドライト１ｂは、点灯開始時刻Ｔｂに点灯を開始する。このように、シーリングライト１ａに加えてスタンドライト１ｂにより照明光を照射することにより、ベッドＢで就寝するユーザへの受光量をより多くすることができる。
【００２０】
この動作例によれば、スタンドライト１ｂが点灯を開始する時刻には、シーリングライト１ａにより既にユーザの受光量が多くなっているので、ユーザが明るさの変化による刺激を受け過ぎることがなく、その一方で十分な受光量を得られるので、心地良い目覚め感を得ることができる。このように、照明システム１０では、一の照明装置１が、制御信号を他の照明装置１へ送信するので、他の照明装置１を連動させることができ、起床時に適した照明環境を提供し、就寝者を快適に目覚めさせることができる。
【００２１】
また、上記制御信号は、照明装置１の属性情報を含み、各照明装置１は、起床設定時刻Ｔよりも前に、互いに制御信号を送受信し、属性情報に基づいて互いの点灯開始時刻Ｔを設定する。具体的には、属性情報は、照明装置１の就寝位置（ベッドＢ）からの距離情報を含み、就寝位置からの距離が大きい照明装置１の点灯開始時刻を早くする。図５（ａ）乃至（ｄ）で示した例では、シーリングライト１ａがスタンドライト１ｂよりもベッドＢから遠い位置に設置されている。従って、シーリングライト１ａが先の点灯開始時刻Ｔａで点灯を開始し、シーリングライト１ａからの制御信号を受信したスタンドライト１ｂが、点灯開始時刻Ｔｂで点灯を開始する。
【００２２】
この動作例によれば、就寝位置から遠い位置に設けられた照明装置１から次第に点灯を開始するので、ユーザが明るさの変化による刺激を受け過ぎることがない。また、起床設定時刻Ｔの直前には、就寝位置から近い位置に設けられた照明装置１が点灯するので、ユーザは十分な受光量を得られ、全体として心地良い目覚め感を得ることができる。
【００２３】
このような動作例は、例えば、図６（ａ）乃至（ｅ）に示すように、ダウンライト１ｆ〜１ｈの点灯制御にも適用することができ、図示したように、ベッドＢから遠い順にダウンライト１ｆ〜１ｈを点灯させる。この動作例によれば、上記図５（ａ）乃至（ｄ）と同様に、最も遠いダウンライド１ｆの点灯時は、ユーザが明るさの変化による刺激を受け過ぎることがなく、最も近いダウンライト１ｈの点灯までの間に、ユーザは十分な受光量を得られ、全体として心地良い目覚め感を得ることができる。また、この動作例は、点灯する照明装置１の数が経時的に増えることにより、部屋の明るさが上昇し、ユーザの受光量を増やすので、調光機能の無い照明装置１にも適用することができる。
【００２４】
また、属性情報は、照明装置１の点灯出力情報を含み、点灯出力の小さい照明装置１の点灯開始時刻を早くする。図７（ａ）乃至（ｆ）に示す例では、ブラケット１ｃがシーリングライト１ａよりも点灯出力が小さくなるように設定されている。この場合、図７（ａ）（ｂ）に示すように、まず、シーリングライト１ａとブラケット１ｃとの間で、点灯出力情報に関する属性情報が送受信され、点灯出力が小さいブラケット１ｃの点灯開始時刻Ｔｃが、シーリングライト１ａの点灯開始時刻Ｔａよりも先になるように各点灯開始時刻が決定される。そして、図７（ｃ）（ｄ）に示すように、点灯開始時刻Ｔｃにブラケット１ｃが点灯を開始した後、図７（ｅ）（ｆ）に示すように、点灯開始時刻Ｔａにシーリングライト１ａが点灯を開始する。
【００２５】
この動作例によれば、点灯出力の小さい照明装置１から順次に点灯を開始するので、ユーザが明るさの変化による刺激を受け過ぎることがない。
【００２６】
また、属性情報は、照明装置１の配光情報を含み、配光角度の小さい照明装置１の点灯開始時刻を早くする。図８（ａ）乃至（ｆ）に示す例では、スタンドライト１ｂがシーリングライト１ａよりも配光角度が小さくなるように設定されている。この場合、図８（ａ）（ｂ）に示すように、まず、シーリングライト１ａとスタンドライト１ｂとの間で、配光情報に関する属性情報が送受信され、配光角度が小さいスタンドライト１ｂの点灯開始時刻Ｔｂが、シーリングライト１ａの点灯開始時刻Ｔａよりも先になるように各点灯開始時刻が決定される。そして、図８（ｃ）（ｄ）に示すように、点灯開始時刻Ｔｂにスタンドライト１ｂが点灯を開始した後、図８（ｅ）（ｆ）に示すように、点灯開始時刻Ｔａにシーリングライト１ａが点灯を開始する。
【００２７】
この動作例によれば、配光角度の小さい照明装置１から順次に点灯を開始するので、配光角度の小さい照明装置１の近傍にいるユーザには一定の明るさの刺激を与えつつ、点灯開始当初は屋内全体の明るさを抑えながら、緩やかにユーザの受光量を増加させる。そのため、特定のユーザに対してお目覚め照明を行うことができ、また、例えば、ベッドＢがシーリングライト１ａの光が届き難い位置にある場合であっても、配光角度の小さい照明装置１をベッドＢの近傍に配置することで、お目覚め照明を行うことができる。
【００２８】
照明システム１０では、上述した距離情報、点灯出力情報及び配光角度といった各属性情報は、単独で、又は適宜に組み合わせられて、各照明装置１の点灯開始時刻を決定するために用いられる。これらの属性情報は、ユーザがコントローラＣを操作することによって、入力及び設定される。また、３つ又はそれ以上の数の照明装置１の点灯も、上記と同様に制御される。なお、各照明装置１の点灯開始順序は、基本的には、就寝中のユーザへの光の刺激が弱いものから順に早くなるように決定される。例えば、図９（ａ）（ｂ）に示す動作例では、ブラケット１ｃ、シーリングライト１ａ、スタンドライト１ｂの順で点灯開始時刻Ｔｃ，Ｔａ，Ｔｂが夫々決定される。
【００２９】
また、ユーザは、コントローラＣを操作することにより、属性情報に依らずに点灯開始時間を任意に設定することもできる。なお、コントローラＣの操作により各照明装置１間で送受信される制御信号は、特定の照明装置１を親機とし、他の照明装置１を子機として、順次伝達されるようにしてもよい。
【００３０】
図１０（ａ）に示すように、照明装置１（本例ではスタンドライト１ｂ）は、ユーザの睡眠状態を検知するセンサ５を有している。制御信号は、センサ５による検知情報を含み、各照明装置１は、この検知情報に基づいて互いの点灯出力を設定する。例えば、図１０（ｂ）に示すように、ユーザの睡眠が深い状態を検出したときには、各照明装置１に制御信号を送信し、ユーザの受光量を増大させる。本例では、シーリングライト１ａの点灯出力を、ユーザの睡眠が浅い状態（破線で示す）に比べて、睡眠が深い状態（実線で示す）に比べて、ユーザの受光量を増大させる。このように照明光の変化による刺激を強くすることで、ユーザの睡眠が深い場合でも、効果的にユーザを目覚めさせることができる。
【００３１】
図１１（ａ）乃至（ｈ）に示す動作例では、照明装置１は、端末１１の入力部１２（図２参照）からユーザが、２つ以上の起床設定時刻Ｔ１、Ｔ２を設定することができる。図１１（ａ）（ｂ）に示すように、起床設定時刻Ｔ１，Ｔ２が設定されたとき、シーリングライト１ａとスタンドライト１ｂとの間で、例えば、配光情報に関する属性情報が送受信され、配光角度が小さいスタンドライト１ｂの点灯開始時刻Ｔｂが、シーリングライト１ａの点灯開始時刻Ｔａよりも先になるように各点灯開始時刻が決定される。なお、スタンドライト１ｂの点灯開始時刻Ｔｂは起床設定時刻Ｔ１に対応し、シーリングライト１ａの点灯開始時刻Ｔａが起床設定時刻Ｔ２に対応する。
【００３２】
そして、図１１（ｃ）（ｄ）に示すように、点灯開始時刻Ｔｂにスタンドライト１ｂが点灯を開始した後、図１１（ｅ）（ｆ）に示すように、点灯開始時刻Ｔａにシーリングライト１ａが点灯を開始する。そして、図１１（ｇ）（ｈ）に示すように、起床設定時刻Ｔ１にスタンドライト１ｂは消灯し、起床設定時刻Ｔ２にシーリングライト１ａが消灯する。
【００３３】
この動作例は、寝室に複数のユーザが就寝しており、特定の人が早い起床時間を予定しており、他の人が遅い起床時間を予定している場合に適用される。すなわち、スタンドライト１ｂにより、その特定の人のお目覚め照明を行い、シーリングライト１ａにより、他の人のお目覚め照明を行う。これにより、照明システム１は、複数のユーザの複数の起床設定時刻に対応することができる。
【００３４】
なお、本発明は、上述した実施形態に限らず、種々の変形が可能である。例えば、端末１１の送受信部１４は、インターネットＩＴを介して外部端末１６に接続することにより、照明システム１０を、各種ネットワークやクラウドシステムに接続することができ、例えば、他のユーザで起床に関する情報を定時的に比較、参照することもできる。また、ユーザの起床時の照明環境に関する設定やアドバイスを行うサービスを導入することもできる。
【符号の説明】
【００３５】
１、１ａ〜１ｉ    照明装置
１０    照明システム
１１    端末
１２    入力部
２    光源
３    制御部
４    送受信部
５    センサ
Ｔ    起床設定時刻
Ｔａ，Ｔｂ，Ｔｃ    点灯開始時刻
【図１】
0006369786.tif 000002
【図２】
0006369786.tif 000003
【図３】
0006369786.tif 000004
【図４】
0006369786.tif 000005
【図５】
0006369786.tif 000006
【図６】
0006369786.tif 000007
【図７】
0006369786.tif 000008
【図８】
0006369786.tif 000009
【図９】
0006369786.tif 000010
【図１０】
0006369786.tif 000011
【図１１】
0006369786.tif 000012